【手続補正書】
【提出日】平成30年10月3日(2018.10.3)
【手続補正１】
【補正対象書類名】特許請求の範囲
【補正対象項目名】全文
【補正方法】変更
【補正の内容】
【特許請求の範囲】
【請求項１】
ボアが形成された、医用撮像用の架台と、
天板を移動自在に支持する寝台と、
映写機から出力された映像を反射する反射板と、
前記映像を前記反射板を介さずに観察者に見せる第１の場合、第１の映像に関する第１の映像信号を前記映写機に出力し、前記映像を前記反射板を介して観察者に見せる第２の場合、第２の映像に関する第２の映像信号を前記映写機に出力する出力部と、
を具備する医用画像診断システム。
【請求項２】
前記第１の場合は、前記寝台又は前記反射板を装備する補助装置が前記第１の映像を前記反射板を介さないで観察者に見せるための形態をとる場合であり、
前記第２の場合は、前記寝台又は前記反射板を装備する補助装置が、前記第２の映像を前記反射板を介して観察者に見せるための形態をとる場合である、
請求項１記載の医用画像診断システム。
【請求項３】
前記寝台の構成物又は前記反射板を装備する補助装置の構成物の位置検出信号を出力する検出部と、
前記位置検出信号に基づいて前記寝台の構成物又は前記補助装置の構成物が、前記第１の場合のための第１の形態にあるか又は前記第２の場合のための第２の形態にあるかを判定する判定部と、を更に備え、
前記出力部は、前記判定に基づいて、前記第１の映像信号と前記第２の映像信号とのうち何れかの映像信号を前記映写機に出力する、
請求項１記載の医用画像診断システム。
【請求項４】
前記検出部は、前記天板と前記反射板と前記反射板を支持する支持体との少なくとも一に係る位置に関する前記位置検出信号を出力し、
前記判定部は、前記位置検出信号と予め設定された基準値との比較に基づいて、前記寝台の構成物又は前記補助装置の構成物が前記第１の形態にあるか又は前記第２の形態にあるかを判定する、
請求項３記載の医用画像診断システム。
【請求項５】
前記検出部は、前記天板の鉛直方向又は水平方向の位置に関する前記位置検出信号を出力し、
前記判定部は、前記位置検出信号と前記天板の鉛直方向又は水平方向の位置に関する前記基準値との比較に基づいて前記天板の形態が前記第１の形態と前記第２の形態とのうち何れかであるかを判定する、
請求項４記載の医用画像診断システム。
【請求項６】
前記検出部は、前記反射板の回転角度に関する前記位置検出信号を出力し、
前記判定部は、前記位置検出信号と前記反射板の回転角度に関する前記基準値との比較に基づいて前記反射板の形態が前記第１の形態と前記第２の形態とのうち何れかであるかを判定する、
請求項４記載の医用画像診断システム。
【請求項７】
前記支持体は、水平方向に関してスライド可能に前記天板に設けられ、
前記検出部は、前記支持体の前記水平方向の位置に関する前記位置検出信号を出力し、
前記判定部は、前記位置検出信号と前記支持体の前記水平方向に関する基準値との比較に基づいて前記支持体の形態が前記第１の形態と前記第２の形態とのうち何れかであるかを判定する、
請求項４記載の医用画像診断システム。
【請求項８】
前記検出部は、前記天板と前記反射板と前記反射板を支持する支持体との少なくとも一に係る位置が予め設定された基準点に一致するか否かを示す前記位置検出信号を出力し、
前記判定部は、前記位置検出信号に基づいて、前記天板、前記反射板及び前記支持体の少なくとも一の形態が前記第１の形態と前記第２の形態とのうち何れかであるかを判定する、
請求項３記載の医用画像診断システム。
【請求項９】
前記第１の映像と前記第２の映像とは、同一のコンテンツを有し、
前記第２の映像は、前記第１の映像を反転させた映像又は前記第１の映像の中心点回りに所定角度回転された映像である、
請求項１記載の医用画像診断システム。
【請求項１０】
前記出力部は、前記第１の場合から前記第２の場合への切替え時点における前記第１の映像のフレームから所定時刻遡った時刻のフレームから前記第２の映像を再生するように前記第２の映像信号を出力する、請求項９記載の医用画像診断システム。
【請求項１１】
前記第１の映像と前記第２の映像とは、異なるコンテンツを有する、請求項１記載の医用画像診断システム。
【請求項１２】
前記ボア内に配置されたスクリーン装置を更に備え、
前記映像出力装置は、前記映像を前記スクリーン装置に投射する映写機であり、
前記スクリーン装置は、前記映写機からの映像が投影されるスクリーンと前記スクリーンに投影された映像を反射する前記反射板と前記反射板を支持する支持体とを有する、
請求項１記載の医用画像診断システム。
【請求項１３】
前記スクリーン装置は、前記天板に接続される、請求項１２記載の医用画像診断システム。
【請求項１４】
前記映像出力装置は、前記映像を表示する表示機器であり、
前記反射板は、前記表示機器に表示された前記映像を反射する、
請求項１記載の医用画像診断システム。
【請求項１５】
映写機に接続された磁気共鳴イメージング装置であって、
ボアが形成された磁気共鳴撮像用の架台と、
天板を移動自在に支持する寝台と、
前記映写機から出力された映像を反射する反射板と、
前記映像を前記反射板を介さずに観察者に見せる第１の場合、第１の映像に関する第１の映像信号を前記映写機に出力し、前記映像を前記反射板を介して観察者に見せる第２の場合、第２の映像に関する第２の映像信号を前記映写機に出力する出力部と、
を具備する磁気共鳴イメージング装置。
【請求項１６】
映写機に接続されたコンピュータに、
観察者が載置される寝台又は前記映写機から出力された映像を反射する反射板を装備する補助装置が、前記映像を前記反射板を介さずに観察者に見せるための第１の形態にあるか又は前記映像を前記反射板を介して観察者に見せるための第２の形態にあるかを判定する機能と、
前記第１の形態の場合、第１の映像に関する第１の映像信号を前記映写機に出力し、前記第２の形態の場合、第２の映像に関する第２の映像信号を前記映写機に出力する機能と、
を実現させる映像投影プログラム。
【手続補正２】
【補正対象書類名】明細書
【補正対象項目名】発明の名称
【補正方法】変更
【補正の内容】
【発明の名称】医用画像診断システム、磁気共鳴イメージング装置及び映像投影プログラム
【手続補正３】
【補正対象書類名】明細書
【補正対象項目名】０００１
【補正方法】変更
【補正の内容】
【０００１】
本発明の実施形態は、医用画像診断システム、磁気共鳴イメージング装置及び映像投影プログラムに関する。
【手続補正４】
【補正対象書類名】明細書
【補正対象項目名】０００４
【補正方法】変更
【補正の内容】
【０００４】
実施形態の目的は、架台のボア内の居住性を向上可能な医用画像診断システム、磁気共鳴イメージング装置及び映像投影プログラムを提供することにある。
【手続補正５】
【補正対象書類名】明細書
【補正対象項目名】０００５
【補正方法】変更
【補正の内容】
【０００５】
本実施形態に係る医用画像診断システムは、ボアが形成された、医用撮像用の架台と、天板を移動自在に支持する寝台と、映写機から出力された映像を反射する反射板と、前記映像を前記反射板を介さずに観察者に見せる第１の場合、第１の映像に関する第１の映像信号を前記映写機に出力し、前記映像を前記反射板を介して観察者に見せる第２の場合、第２の映像に関する第２の映像信号を前記映写機に出力する出力部と、を具備する。